(57)【特許請求の範囲】
【請求項１】
被写体像に関する撮影画像を取得する撮像素子と、
前記撮影画像から特定被写体を検出する被写体検出動作を行う被写体検出手段と、
前記被写体像への付加情報の重畳表示を制御する制御手段と、
を備え、
前記制御手段は、前記撮影画像を取得するための前記撮像素子による露光の際に、前記被写体検出手段により前記特定被写体を検出する場合には、前記重畳表示を制限する撮像装置。
【請求項２】
前記制御手段は、前記露光の際に、前記被写体検出手段により前記特定被写体を検出する場合には、前記重畳表示を禁止する請求項１に記載の撮像装置。
【請求項３】
表示部と、
前記撮像素子で取得される前記撮影画像に基づいて、前記表示部に連続的な画像を表示させる表示制御手段と、
をさらに備える請求項２に記載の撮像装置。
【請求項４】
前記表示制御手段は、前記付加情報を前記連続的な画像に合成して表示させる請求項３に記載の撮像装置。
【請求項５】
前記被写体像をファインダ窓に導く光学ファインダ手段、
をさらに備え、
前記制御手段は、前記光学ファインダ手段による光学ファインダ使用中に、前記重畳表示を行わせる請求項４に記載の撮像装置。
【請求項６】
前記制御手段は、前記被写体検出動作の有効化指示に応じて、前記重畳表示を制限する請求項１に記載の撮像装置。
【請求項７】
表示部と、
前記撮像素子で取得される前記撮影画像に基づいて、前記表示部に連続的な画像を表示させる表示制御手段と、
をさらに備え、
前記制御手段は、前記被写体検出動作が有効化された場合前記重畳表示を制限し、
前記表示制御手段は、前記付加情報に対応する付加表示を前記撮像画像に合成して前記表示部に表示させる請求項６に記載の撮像装置。
【請求項８】
表示部と、
前記撮像素子で取得される前記撮影画像に基づいて、前記表示部に連続的な画像を表示させる表示制御手段と、
をさらに備え、
前記制御手段は、前記被写体検出動作が有効化された場合前記重畳表示を制限する一方、前記被写体検出動作が有効化されていない場合であってもメタ情報取得のために前記被写体検出動作が行われる際は前記重畳表示を制限する請求項６に記載の撮像装置。
【請求項９】
前記被写体像に関する撮影画像を取得する主撮像素子と、
レリーズボタンが半押しされた状態において前記撮像素子に前記被写体像を導き撮像画像を取得させる一方、当該レリーズボタンが全押しされた状態において前記主撮像素子に前記被写体像を導くよう、前記被写体像の光路を切り換える切換手段と、
をさらに備える請求項１に記載の撮像装置。
【請求項１０】
表示部と、
前記撮像素子で取得される前記撮影画像に基づいて、前記表示部に連続的な画像を表示させる表示制御手段と、
前記レリーズボタンが半押しされた状態において、電子ファインダモードが選択されている場合前記撮像素子に前記被写体像を導く一方、光学ファインダモードが選択されている場合ファインダ窓に前記被写体像を導くよう、前記被写体像の光路を変更する光路変更手段と、
をさらに備える請求項９に記載の撮像装置。
【請求項１１】
前記被写体像に前記付加情報を重畳表示させる発光ダイオードでなる表示素子をさらに有し、
前記制御手段は、前記発光ダイオードからの出力光を制御する請求項１に記載の撮像装置。
【請求項１２】
前記被写体検出手段は、前記特定被写体として前記撮影画像から人物の顔を検出する請求項１に記載の撮像装置。
【請求項１３】
被写体像に関する撮影画像を順次に取得する撮像素子と、
順次に取得される前記撮影画像のうちの所定画像から特定被写体を検出する被写体検出手段と、
前記被写体像への付加情報の重畳表示を制御する制御手段と、
を備え、
前記制御手段は、前記所定画像を取得するための前記撮像素子による露光の際に、前記被写体検出手段により前記特定被写体を検出する場合には、前記重畳表示を制限する撮像装置。
【請求項１４】
ａ）撮像素子で被写体像に関する撮影画像を取得する工程と、
ｂ）前記撮影画像から特定被写体を検出する工程と、
ｃ）前記被写体像に付加情報を重畳表示させる工程と、
ｄ）前記撮影画像を取得するための前記撮像素子による露光の際に、前記特定被写体を検出する場合には、前記重畳表示を制限する工程と、
を備える撮像装置の制御方法。
【請求項１５】
撮像装置に内蔵されたコンピュータに、
ａ）撮像素子で被写体像に関する撮影画像を取得する工程と、
ｂ）前記撮影画像から特定被写体を検出する工程と、
ｃ）前記被写体像に付加情報を重畳表示させる工程と、
ｄ）前記撮影画像を取得するための前記撮像素子による露光の際に、前記特定被写体を検出する場合には、前記重畳表示を制限する工程と、
を実行させるプログラム。
【発明の詳細な説明】
【技術分野】
【０００１】
本発明は、被写体像に付加情報を表示させる技術に関する。
【背景技術】
【０００２】
一眼レフレックスタイプ(以下では「一眼レフタイプ」とも略称する)のデジタルカメラ（以下、「撮像装置」とも称する）では、被写体の確認は一般に光学ファインダで行われるが、被写体を動画的態様にてモニタに表示する電子ファインダ機能を有するものが提案されている（特許文献１）。
【０００３】
具体的には、特許文献１に記載のデジタルカメラでは、ファインダ光学系に設けられた補助的な撮像素子によって被写体像に関する補助画像を順次に取得し、当該補助画像を動画的態様でモニタへ表示させるライブビュー表示が行われている。
【０００４】
また、特許文献１のデジタルカメラは、ファインダ光学系に備えられた投光素子を発光させ、被写体像に撮影情報を重畳表示（「スーパーインポーズ表示」とも称する）して、フレーミングを行う撮影者に有用な情報を提供する機能をも備えている。
【０００５】
【特許文献１】特開２００６−３３９９０２号公報
【発明の開示】
【発明が解決しようとする課題】
【０００６】
しかしながら、当該デジタルカメラが、上記補助画像に基づいて特定の被写体を検出する被写体検出機能を有する場合は、補助画像として取得される被写体像がスーパーインポーズ表示のための発光によって影響を受けてしまう可能性がある。
【０００７】
このように、補助画像の取得の際に、撮影情報等の付加情報の重畳表示が行われると、補助画像に基づいた被写体検出の精度が低下することになる。
【０００８】
そこで、本発明は、被写体像への付加情報の重畳表示によって被写体検出精度が低下するのを防止することが可能な撮像装置を提供することを目的とする。
【課題を解決するための手段】
【０００９】
本発明の第１の側面は、撮像装置であって、被写体像に関する撮影画像を取得する撮像素子と、前記撮影画像から特定被写体を検出する被写体検出動作を行う被写体検出手段と、前記被写体像への付加情報の重畳表示を制御する制御手段とを備え、前記制御手段は、前記撮影画像を取得するための前記撮像素子による露光の際に、前記被写体検出手段により前記特定被写体を検出する場合には、前記重畳表示を制限する。
【００１０】
また、本発明の第２の側面は、撮像装置であって、被写体像に関する撮影画像を順次に取得する撮像素子と、順次に取得される前記撮影画像のうちの所定画像から特定被写体を検出する被写体検出手段と、前記被写体像への付加情報の重畳表示を制御する制御手段とを備え、前記制御手段は、前記所定画像を取得するための前記撮像素子による露光の際に、前記被写体検出手段により前記特定被写体を検出する場合には、前記重畳表示を制限する。
【発明の効果】
【００１１】
本発明によれば、被写体検出動作に用いられる撮影画像を取得するための撮像素子による露光の際に、特定被写体を検出する場合には、重畳表示が制限されるので、被写体像への付加情報の重畳表示によって顔検出精度が低下するのを防止することが可能になる。
【発明を実施するための最良の形態】
【００１２】
以下、本発明の実施形態について図面を参照して説明する。
【００１３】
＜１．第１実施形態＞
＜構成＞
図１および図２は、本発明の第１実施形態に係る撮像装置１Ａの外観構成を示す図である。ここで、図１は、撮像装置１Ａの正面外観図であり、図２は、撮像装置１Ａの背面外観図である。この撮像装置１Ａは、レンズ交換式一眼レフレックスタイプのデジタルカメラとして構成されている。
【００１４】
図１に示すように、撮像装置１Ａは、カメラ本体部（カメラボディ）２を備えている。このカメラ本体部２に対して、交換式の撮影レンズユニット（交換レンズ）３が着脱可能である。
【００１５】
撮影レンズユニット３は、主として、鏡胴１０１、ならびに、鏡胴１０１の内部に設けられるレンズ群３７（図３参照）及び絞り（不図示）等によって構成される。レンズ群３７には、光軸方向に移動することによって焦点位置を変更するフォーカスレンズ等が含まれている。
【００１６】
カメラ本体部２は、撮影レンズユニット３が装着される円環状のマウント部Ｍｔを正面略中央に備え、撮影レンズユニット３を着脱するための着脱ボタン８９を円環状のマウント部Ｍｔ付近に備えている。
【００１７】
また、カメラ本体部２は、その正面左上部にモード設定ダイアル８２を備え、その正面右上部に制御値設定ダイアル８６を備えている。モード設定ダイアル８２を操作することによって、カメラの各種モード（各種撮影モード（人物撮影モード、風景撮影モード、および連続撮影モード等）、撮影した画像を再生する再生モード、および外部機器との間でデータ交信を行う通信モード等を含む）の設定動作（切替動作）を行うことが可能である。また、制御値設定ダイアル８６を操作することによれば、各種撮影モードにおける制御値を設定することが可能である。
【００１８】
また、カメラ本体部２は、正面左端部にユーザが把持するためのグリップ部１４を備えている。グリップ部１４の上面には露光開始を指示するためのレリーズボタン（シャッターボタン）１１が設けられている。グリップ部１４の内部には電池収納室とカード収納室とが設けられている。電池収納室にはカメラの電源として、例えば４本の単３形乾電池が収納されており、カード収納室には撮影画像の画像データを記録するための記録媒体（ここでは、メモリカード９０（図５参照））が着脱可能に収納されるようになっている。
【００１９】
レリーズボタン１１は、半押し状態（Ｓ１状態）と全押し状態（Ｓ２状態）の２つの状態を検出可能な２段階検出ボタンである。レリーズボタン１１が半押しされＳ１状態になると、被写体に関する記録用静止画像（本撮影画像）を取得するための準備動作（例えば、ＡＦ制御動作およびＡＥ制御動作等）が行われる。また、レリーズボタン１１がさらに押し込まれてＳ２状態になると、当該本撮影画像の撮影動作（撮像素子（または「主撮像素子」とも称する）５（後述）を用いて被写体像に関する露光動作を行い、その露光動作によって得られた画像信号に所定の画像処理を施す一連の動作）が行われる。
【００２０】
図２において、カメラ本体部２の背面の略中央には、表示部としてモニタ１２が設けられている。モニタ１２は、例えばカラー液晶ディスプレイ（ＬＣＤ）として構成される。モニタ１２は、撮影条件等を設定するためのメニュー画面を表示したり、再生モードにおいてメモリカード９０に記録された撮影画像を再生表示したりすることができる。
【００２１】
カメラ本体部２の背面略中央上部には、ファインダ窓１０が設けられている。ファインダ窓１０には、撮影レンズユニット３からの被写体像が導かれ、ユーザは、ファインダ窓１０を覗くことによって、主撮像素子５によって取得される被写体像と等価な像を視認することができる。具体的には、撮影光学系に入射された被写体像は、ミラー機構６(図３参照)で上方に反射され、接眼レンズ６７を介して視認される。このように、ユーザは、ファインダ窓１０を覗くことによって構図決めを行うことが可能である。なお、レリーズボタン１１のＳ２状態の検出によって本撮影画像の撮影動作が開始されると、ミラー機構６は被写体像を形成する光の光路から待避し、撮影レンズユニット３からの光（被写体像を形成する光）が主撮像素子５に到達し、被写体に係る撮影画像（画像データ）が得られる。
【００２２】
ファインダ窓１０の下部には、接眼検知センサ１３が設けられている。接眼検知センサ１３は、近接物体の有無を検知するセンサであり、ユーザによるファインダ使用の有無を検知する。
【００２３】
モニタ１２の左上部にはメインスイッチ８１が設けられている。メインスイッチ８１は、２点のスライドスイッチからなり、接点を左方の「ＯＦＦ」位置に設定すると、撮像装置１Ａの電源がオフになり、接点を右方の「ＯＮ」位置に設定すると、撮像装置１Ａの電源がオンになる。
【００２４】
モニタ１２の右側には方向選択キー８４と表示切替スイッチ９とが設けられている。方向選択キー８４は、円形の操作ボタンを有し、この操作ボタンにおける上下左右の４方向の押圧操作と、右上、左上、右下及び左下の４方向の押圧操作とが、それぞれ検出されるようになっている。なお、方向選択キー８４は、上記８方向の押圧操作とは別に、中央部のプッシュボタンの押圧操作も検出されるようになっている。
【００２５】
表示切替スイッチ９は、３点のスライドスイッチからなる。表示切替スイッチ９の接点が上段の「光学」位置に設定されると光学ビューファインダモード（「ＯＶＦモード」とも称する）が選択され、光学ファインダ視野内に被写体像が表示される。これにより、ユーザは、ファインダ窓１０を介して光学ファインダ視野内の被写体像を視認して、構図決め操作（「フレーミング」とも称する）を行うことが可能になる。
【００２６】
また、表示切替スイッチ９の接点が下段の「液晶」位置に設定されると電子ビューファインダモード（「ＥＶＦモード」とも称する）が選択され、モニタ１２において被写体像に係るライブビュー画像が動画的態様にて表示（ライブビュー表示）される。これにより、ユーザは、モニタ１２に表示されるライブビュー画像を視認することによって、フレーミングを行うことが可能になる。
【００２７】
また、表示切替スイッチ９の接点が中段の「自動」位置に設定されると、ファインダ窓１０への接眼の有無に応じて、光学ファインダ視野内の表示（「ＯＶＦ表示」とも称する）とライブビュー表示とが自動的に切り替えられる。これにより、ユーザは、撮像装置１Ａの使用態様に応じて、光学ファインダ視野内の表示、或いはライブビュー表示のいずれかを視認して、フレーミングを行うことが可能となる。
【００２８】
モニタ１２の左側には、メニュー画面の設定、画像の削除などを行うための複数のボタンからなる設定ボタン群８３が設けられている。
【００２９】
次に、撮像装置１Ａの内部構成について説明する。図３および図４は、第１実施形態に係る撮像装置１Ａの縦断面図である。
【００３０】
図３に示すように、撮像装置１Ａの内部には、ファインダ部（「ファインダ光学系」とも称する）１０２、ミラー機構６、位相差ＡＦモジュール（以下、単にＡＦモジュールとも称する）２０、シャッタ４、主撮像素子５および副撮像素子７などが備えられている。
【００３１】
主撮像素子（ここではＣＣＤセンサ（単にＣＣＤとも称する））５は、撮影レンズユニット３が備えているレンズ群３７の光軸Ｌ上において、光軸Ｌに対して垂直な平面内に配置される。主撮像素子５は、その撮像面で受光された被写体像を光電変換作用により電気的信号に変換して、本撮影画像に係る画像信号を生成する。
【００３２】
また、主撮像素子５の直前には、シャッタ４が配置されている。このシャッタ４は、上下方向に移動する幕体を備え、光軸Ｌに沿って主撮像素子５に導かれる被写体光の光路開口動作および光路遮断動作を行うメカニカルフォーカルプレーンシャッタである。
【００３３】
また、図３に示されるように、撮影レンズユニット３から主撮像素子５に至る光路（「撮影光路」とも称する）上には、ミラー機構６が設けられている。
【００３４】
ミラー機構６は、撮影光学系からの光を上方に向けて反射する主ミラー６１（主反射面）を有している。この主ミラー６１は、例えばその一部または全部がハーフミラーとして構成され、撮影光学系からの光の一部を透過させる。また、ミラー機構６は、主ミラー６１を透過した光を下方に反射させるサブミラー６２（副反射面）をも有している。
【００３５】
また、ミラー機構６は、所謂クイックリターンミラーとして構成されており、ミラーダウン状態とミラーアップ状態との間で姿勢を切り替えることが可能である。
【００３６】
具体的には、撮影モードにおいてレリーズボタン１１が全押し状態Ｓ２にされるまで、換言すれば構図決めの際には、ミラー機構６はミラーダウン状態となるように配置される（図３参照）。そして、ミラーダウン状態では、撮影レンズユニット３からの被写体光は、主ミラー６１で上方に反射され観察用光束としてファインダ部（「ファインダ光学系」とも称する）１０２に入射する。ファインダ部１０２の詳細については、後述する。
【００３７】
また、被写体光の一部は、主ミラー６１を透過し、サブミラー６２によって下方に反射され、ＡＦモジュール２０へと導かれる。
【００３８】
ＡＦモジュール２０は、被写体のピント情報を検出するラインセンサ等によって構成され、所謂ＡＦセンサとして機能する。具体的には、ＡＦモジュール２０は、撮影領域に設定された測距エリア（「フォーカスエリア」または「ＡＦエリア」とも称する）における被写体からの光を受光して、被写体像の合焦度合いに応じた位相差検出信号を発生させる位相差検出機能を有している。すなわち、撮影待機時におけるミラーダウン状態においては、ＡＦモジュール２０に導かれる被写体光に基づいて、ＡＦモジュール２０から位相差検出信号が出力される。
【００３９】
一方、レリーズボタン１１が全押し状態Ｓ２にされると、ミラー機構６はミラーアップ状態（図４参照）となるように駆動され、露光動作が開始される。
【００４０】
具体的には、図４に示すように、露光時には、ミラー機構６は、回転軸６３を支点として上方に向けて跳ね上がり、撮影光路から待避する。詳細には、撮影光学系からの光を遮らないように主ミラー６１とサブミラー６２とが上方に待避し、撮影レンズユニット３からの光がシャッタ４の開放タイミングに合わせて主撮像素子５に到達する。主撮像素子５は、光電変換によって、受光した光束に基づいて被写体像に関する画像信号を生成する。このように、被写体からの光が撮影レンズユニット３を介して主撮像素子５に導かれることによって、被写体に係る撮影画像（撮影画像データ）が得られる。
【００４１】
＜機能ブロック＞
次に、撮像装置１Ａの機能の概要について説明する。図５は、第１実施形態に係る撮像装置１Ａの機能構成を示すブロック図である。
【００４２】
図５に示されるように、撮像装置１Ａは、位相差ＡＦモジュール２０、操作部８０、全体制御部１００、ミラー機構６、シャッタ４、主撮像素子５、Ａ／Ｄ変換回路５２、デジタル信号処理回路５０、および画像メモリ５６等を備える。
【００４３】
操作部８０は、レリーズボタン１１（図１参照）を含む各種ボタンおよびスイッチ等を備えて構成される。操作部８０に対するユーザの入力操作に応答して、全体制御部１００が各種動作を実現する。
【００４４】
主撮像素子５は、タイミング制御回路（不図示）から入力される駆動制御信号（蓄積開始信号および蓄積終了信号）に応答して、受光面（撮像面）に結像された被写体像の露光（光電変換による電荷蓄積）を行い、当該被写体像に係る画像信号を生成する。
【００４５】
主撮像素子５で取得された画像信号（アナログ信号）は、Ａ／Ｄ変換回路５２によってデジタル信号に変換される。デジタル信号に変換された画像信号は、デジタル信号処理回路５０に入力される。
【００４６】
デジタル信号処理回路５０は、Ａ／Ｄ変換回路５２から入力される画像信号に対してデジタル信号処理を施す。具体的には、黒レベル補正処理、ホワイトバランス（ＷＢ）処理、γ補正処理等の信号処理を行う。当該信号処理後の画像信号（画像データ）は、画像メモリ５６に格納される。
【００４７】
画像メモリ５６は、生成された画像データを一時的に記憶するための、高速アクセス可能な画像メモリであり、複数フレーム分の画像データを記憶可能な容量を有している。
【００４８】
本撮影時には、画像メモリ５６に一時記憶される画像データは、全体制御部１００において適宜画像処理（圧縮処理等）が施された後、メモリカード９０に記憶される。
【００４９】
副撮像素子７は、基本的には主撮像素子５と同様の機能を有し、いわゆるライブビュー画像取得用（電子ファインダ用）の撮像素子（補助撮像素子）としての役割を果たす。具体的には、副撮像素子７は、ファインダ光学系に導かれた被写体像の露光を行い、ライブビュー表示用の画像に関する画像信号を取得する。なお、副撮像素子７は、ライブビュー用の画像信号を生成するための解像度を有していればよく、通常、主撮像素子５よりも少ない数の画素で構成される。
【００５０】
副撮像素子７によって取得された画像データは、Ａ／Ｄ変換回路５２およびデジタル信号処理回路５０において所定の処理が実行され画像メモリ５６に一旦記憶された後、モニタ１２に表示される。
【００５１】
全体制御部１００は、マイクロコンピュータとして構成され、主にＣＰＵ，ＲＡＭ１２０Ａ、およびＲＯＭ１２０Ｂ等を備える。全体制御部１００は、ＲＯＭ１２０Ｂ内に格納されるプログラムを読み出し、当該プログラムをＣＰＵで実行することによって、各種機能を実現する。
【００５２】
全体制御部１００は、上述のプログラムの実行によって、位相差ＡＦ制御部１２１、被写体検出部１２２、駆動制御部１２３、表示素子制御部１２４、表示制御部１２５、およびミラー制御部１２６等を機能的に実現する。
【００５３】
位相差ＡＦ制御部１２１は、位相差方式による自動合焦（ＡＦ）動作（「位相差ＡＦ」とも称する）を行う。具体的には、位相差ＡＦ制御部１２１は、ＡＦモジュール２０から出力される位相差検出信号に基づいて、合焦時の撮影レンズ（より詳細にはフォーカスレンズ）の位置（レンズ合焦位置）を特定するレンズ合焦位置特定動作を行う。
【００５４】
また、位相差ＡＦ制御部１２１は、駆動制御部１２３と協働して、当該レンズ合焦位置に撮影レンズ（フォーカスレンズ）を移動するレンズ駆動動作をも実行する。
【００５５】
具体的には、位相差ＡＦ制御部１２１は、駆動制御部１２３を介して撮影レンズユニット３のレンズ側制御部３１に制御信号を伝達し、レンズ駆動部３８を駆動させ、撮影レンズユニット３のレンズ群３７に含まれるフォーカスレンズをその光軸方向において移動させる。また、フォーカスレンズの位置は、撮影レンズユニット３のレンズ位置検出部３９によって検出され、フォーカスレンズの位置を示すデータがレンズ側制御部３１から本体側の全体制御部１００に送られる。
【００５６】
被写体検出部１２２は、副撮像素子７によって取得された撮影画像（補助画像）から、特定被写体を検出する被写体検出動作を行う。ここでは、人物の顔（「顔領域」とも称する）を特定被写体とし、顔領域を補助画像から検出する顔検出動作が実行されるものとする。
【００５７】
顔領域の検出手法としては、例えば、撮影画像における各画素の画素値に基づいて、画像の肌色部分を抽出し、この肌色部分の面積が予め設定された閾値以上であった場合に、その肌色部分を人物の顔として検出する手法を採用してもよい。或いは、周知のパターン認識技術を用いて、目や口などの顔の特定部分を抽出することで、人物の顔を検出する手法を採用してもよい。なお、特定被写体として、動物（例えば、犬、猫等）の顔を検出するようにしてもよい。
【００５８】
このような顔検出動作が実行されるか否かは、メニュー画面におけるユーザ操作（メニュー操作）によって決定される。詳細には、メニュー操作によって顔検出機能が有効化（能動化）されると、ＥＶＦモードにおいて顔検出動作が実行される。一方、メニュー操作によって顔検出機能が無効化（オフ）されると、顔検出動作が実行されない（非実行となる）。
【００５９】
なお、顔検出動作は、副撮像素子７によって順次に取得される撮影画像のうち、数フレームおきの撮影画像（「顔検出用画像」とも称する）を用いて実行される。すなわち、顔検出動作は、数フレームに１フレームの割合で実行される。
【００６０】
当該顔検出動作によって検出された顔情報（「顔検出情報」とも称する）は、例えば、ＡＦエリアを選択（決定）する際の参考情報として、或いは、本撮影画像とともに記憶されるメタ情報（メタデータ）の一部として用いられる。なお、顔検出情報には、例えば、撮影画像における顔の位置、大きさ、および属性（例えば、大人の顔であるか子供の顔であるか等の顔の特性）等の情報が含まれる。
【００６１】
表示素子制御部１２４は、ファインダ部１０２内に設けられたスーパーインポーズ表示素子（単に「表示素子」とも称する）６６の出力を制御する。
【００６２】
表示制御部１２５は、モニタ１２などの表示部における表示内容を制御する。例えば、表示制御部１２５は、副撮像素子７によって連続的に取得される撮影画像に基づいて、モニタ１２に連続的な画像を表示させる。
【００６３】
ミラー制御部１２６は、ミラー機構６が光路から退避した状態（ミラーアップ状態）とミラー機構６が光路を遮断した状態（ミラーダウン状態）との状態切替を制御する。ミラー制御部１２６は、ミラー切り替え用モータ（不図示）を駆動制御することによって、ミラーアップ状態とミラーダウン状態とを切り替える。
【００６４】
＜構図決め動作（フレーミング動作）について＞
次に、撮像装置１Ａにおける構図決め動作について説明する。上述のように、撮像装置１Ａでは、ユーザは、表示切替スイッチ９のスライド操作によって、ＯＶＦモードで光学ファインダを利用して構図決めを行うか、ＥＶＦモードで電子ファインダを利用して構図決めを行うかを選択することができる。図６は、撮像装置１Ａの縦断面図であり、電子ファインダを用いた構図決め動作を示している。
【００６５】
構図決めの際には、ミラー機構６はミラーダウン状態となるように配置される（図３および図６参照）。上述のように、ミラーダウン状態では、撮影レンズユニット３からの被写体像は、主ミラー６１で上方に反射され観察用光束としてファインダ部１０２に導かれる。
【００６６】
ファインダ部１０２は、ペンタミラー６５、接眼レンズ６７、アイピースシャッター６８、ファインダ窓１０、スーパーインポーズ表示素子６６、結像レンズ６９、および副撮像素子７を備えている。
【００６７】
ペンタミラー６５は、複数のミラー（反射面）を有しており、反射によって被写体像の天地左右を入れ替えて正立像にする機能および被写体光の光路を変更する機能を有している。
【００６８】
具体的には、ペンタミラー６５は、三角屋根状に形成された２面のミラー（ダハミラー）６５ａ，６５ｂと、当該ダハミラー（ダハ面）６５ａ，６５ｂに対して固定された面６５ｃと、光路変更ミラー（反射面）６５ｅとを有している。
【００６９】
ダハミラー６５ａ，６５ｂは、プラスチック成型により一体部品６５ｄとして形成され、被写体光を２回反射させることによって被写体像の姿勢を反転させる機能を有している。光路変更ミラー６５ｅは、光学ファインダおよび電子ファインダのいずれを採用して構図決めを行うかに応じて被写体光の光路を変更する機能を有している。
【００７０】
接眼レンズ６７は、ペンタミラー６５により正立像にされた被写体像をファインダ窓１０の外側に導く機能を有している。
【００７１】
アイピースシャッター６８は、接眼レンズ６７とファインダ窓１０との間に設けられ、ファインダ窓１０から撮像装置１Ａ内に進入する外光を遮断する遮光状態と、ファインダ窓１０からの外光を遮らない非遮光状態との間で状態切替が可能な遮光（シャッター）手段として機能する。例えば、ＥＶＦモードでは、アイピースシャッター６８は遮光状態となり、ＯＶＦモードでは、非遮光状態となる。
【００７２】
スーパーインポーズ表示素子６６は、例えば発光ダイオード（ＬＥＤ）によって構成され、ファインダ部１０２を通過する被写体像に付加情報を重畳させる機能を有している。具体的には、スーパーインポーズ表示素子６６は、焦点板６４の直上に配置されたＳＩ（スーパーインポーズ）スクリーンＨＳに対して光を照射することで、被写体像に付加情報を重畳させることができる。
【００７３】
以下では、光学ファインダを用いたフレーミング動作および電子ファインダを用いたフレーミング動作それぞれについて詳述する。図７は、ファインダ窓１０に映り込む線画Ｇｖを示す図である。図８は、ＡＦエリアを表す線画を示す図である。
【００７４】
まず、光学ファインダを用いたフレーミング動作について説明する。
【００７５】
図３に示すように、ＯＶＦモードでは、ミラー機構６が、撮影レンズユニット３からの被写体像の光路上に配置され、被写体像が主ミラー６１とペンタミラー６５と接眼レンズ６７とを介してファインダ窓１０へと導かれる。このように、主ミラー６１とペンタミラー６５と接眼レンズ６７とを含むファインダ光学系１０２は、撮影光学系によって取得された被写体像をファインダ窓１０へと導くことが可能である。
【００７６】
より詳細には、撮影レンズユニット３を通過した被写体光は、主ミラー６１で上方に反射され、焦点板６４に結像する。焦点板６４に結像した被写体光は、当該焦点板６４およびＳＩスクリーンＨＳを通過し、ペンタミラー６５で進路変更された後に、接眼レンズ６７を通ってファインダ窓１０へ向かう（図３の光路ＰＡ参照）。このように光路ＰＡに沿って、ファインダ窓１０に導かれた被写体像は、ユーザ（観察者）の眼へ到達して視認される。
【００７７】
すなわち、ＯＶＦモードでは、ユーザは、ファインダ窓１０を覗くことによって、被写体像を視認し、構図決めを行うことができる。
【００７８】
また、光学ファインダにおいては、例えば図７のように被写体に対してのフォーカス位置および／または測光位置を示す線画(「線描画」または「ターゲットマーク」とも称する)Ｇｖが被写体像に重畳されてファインダ窓１０に映り込むようになっている。この線画Ｇｖは、フォーカスおよび／または露出に関する複数の撮影条件それぞれに対応する複数の線画によって構成されている。
【００７９】
なお、撮像装置１Ａでは、図７に示される線画Ｇｖのうち、９つの線画（図８参照）に対応する位置にＡＦモジュール２０の焦点検出センサが設けられており、当該９つの線画は、撮影画面において焦点情報を取得可能なＡＦエリアを表している。撮像装置１Ａでは、これら９つのＡＦエリアに存在する焦点検出センサを用いることによって、被写体のピント合わせが可能となっている。
【００８０】
以上のような線画Ｇｖは、透光性の部材として構成される焦点板６４の上面を罫書くことで描画されている。すなわち、被写体像に重畳されてファインダ窓１０に導かれる線画Ｇｖは、撮影レンズを通った被写体光をファインダ窓１０に導く光路ＰＡ上に設けられた焦点板６４に表されている。
【００８１】
次に、電子ファインダを用いたフレーミング動作について説明する。
【００８２】
図６に示すように、ＥＶＦモードでは、ミラー機構６は、撮影レンズユニット３からの被写体像の光路上に配置される。そして、撮影レンズユニット３を通過した被写体光は、主ミラー６１で上方に反射され、焦点板６４に結像する。焦点板６４に結像した被写体光は、当該焦点板６４およびＳＩスクリーンＨＳを通過し、ペンタミラー６５で進路変更された後に、結像レンズ６９（結像光学系）を通過して副撮像素子７の撮像面上で再結像する（図６の光路ＰＢ参照）。
【００８３】
このようにＥＶＦモードでは、被写体像は、ＯＶＦモードにおける光路ＰＡとは異なる光路ＰＢに沿って副撮像素子７に導かれる。
【００８４】
このようなファインダ部１０２における光路変更は、光路変更ミラー６５ｅの角度（カメラ本体部２に対する設置角度）をファインダモードに応じて変更することによって実現される。
【００８５】
具体的には、光路変更ミラー６５ｅは、表示切替スイッチ９のスライド動作に連動して、軸ＡＸ１を中心に回転可能に構成され、ＥＶＦモード（図６参照）では、ＯＶＦモード（図３参照）に比べて軸ＡＸ１を中心に矢印ＡＲ１の向きに所定角度ＡＮ回動される。
【００８６】
そして、全体制御部１００は、軸ＡＸ１に関する光路変更ミラー６５ｅの角度を検出する角度検出器（不図示）による検出結果に応じて、光学ファインダによる構図決め動作を行うべきか、電子ファインダによる構図決め動作を行うべきかを決定する。
【００８７】
図３に示す光路変更ミラー６５ｅの角度では、光学ファインダによる構図決め動作を行うべき旨が決定され、副撮像素子７への給電を停止しモニタ１２を非表示にする等の処理が行われる。一方、図６に示す光路変更ミラー６５ｅの角度では、電子ファインダによる構図決め動作を行うべき旨が決定され、ライブビューモードの処理、つまり副撮像素子７への給電を行うとともにモニタ１２にライブビュー画像を表示させる処理が行われる。
【００８８】
このように、ＥＶＦモードでは、光路変更ミラー６５ｅの姿勢を変更することによって、ファインダ部１０２内の被写体光の光路が変更される。これにより、被写体光は、結像レンズ６９を通過して副撮像素子７に到達する。
【００８９】
副撮像素子７は、光路ＰＢに沿って副撮像素子７に到達した被写体光を受光し、被写体像に係る撮影画像を微小時間間隔（例えば、１／６０秒）で順次に取得する。取得された時系列の撮影画像は、モニタ１２に動画的態様にて順次に表示（ライブビュー表示）される。
【００９０】
これによって、ユーザは、モニタ１２に表示される動画像（ライブビュー画像）を視認して構図決めを行うことが可能になる。
【００９１】
なお、結像レンズ６９および副撮像素子７は、ＯＶＦモードにおいて光路変更ミラー６５ｅから接眼レンズ６７へと進行する光束を遮らない位置（ここでは、接眼レンズ６７の上方位置）に配置されている。
【００９２】
このように、撮像装置１Ａでは、ファインダ部１０２の光路変更ミラー６５ｅの姿勢を変更して被写体光の光路を変更することによって、ＯＶＦモードとＥＶＦモードとが切り換えられる。
【００９３】
＜スーパーインポーズ表示について＞
次に、フレーミングの際に視認される被写体像に対して行われるスーパーインポーズ表示について説明する。図９は、スーパーインポーズ表示素子６６によって強調された線画Ｇｖ１を示す図である。
【００９４】
撮像装置１Ａでは、スーパーインポーズ表示素子６６として備えられているＬＥＤ（「投光ＬＥＤ」とも称する）６６Ｄを発光させることによって、ファインダ部１０２を通過する被写体像に付加情報が重畳される。なお、ここでは、投光ＬＥＤ６６Ｄは、スーパーインポーズ表示素子６６に含まれる概念として用いている。
【００９５】
具体的には、撮像装置１Ａにおいて、ＡＦ制御動作が実行され、焦点の合った合焦状態が確認されると、投光ＬＥＤ６６Ｄは、表示素子制御部１２４からの制御信号に応じて発光する。この発光により、ＡＦ制御動作の際に用いられたＡＦエリアに対応した線画部分が点灯する。なお、撮像装置１Ａでは、投光ＬＥＤ６６Ｄは、線画Ｇｖごとに設けられており、表示素子制御部１２４は、点灯対象となる線画Ｇｖに応じた投光ＬＥＤ６６Ｄを発光させる。
【００９６】
このようなスーパーインポーズ表示素子６６による付加情報の表示は、ＯＶＦモードおよびＥＶＦモードにおいて実行される。これにより、ＯＶＦモードではファインダ窓１０を介して、ＥＶＦモードではモニタ１２を介して、ユーザは、投光ＬＥＤ６６Ｄの投光表示によって強調された線画を視認することが可能になる。
【００９７】
例えば、図９に示されるように、線画Ｇｖ１がＡＦ制御動作に用いられたＡＦエリアであった場合は、当該線画Ｇｖ１が投光ＬＥＤ６６Ｄからの光によって強調表示される。
【００９８】
このように、スーパーインポーズ表示素子６６によって付加情報として合焦位置を表示することによれば、ユーザは、ＡＦ制御動作に用いられたＡＦエリアを確認することが可能になるとともに、合焦状態であることを認識することができる。
【００９９】
また、撮像装置１Ａでは、顔検出動作の実行／非実行に応じてスーパーインポーズ表示素子６６の出力が制御される。図１０は、副撮像素子７によって順次に取得される撮影画像を時系列で示す図である。
【０１００】
具体的には、表示素子制御部１２４は、被写体検出部１２２による顔検出動作の実行に同期してスーパーインポーズ表示素子６６の出力を制限する。
【０１０１】
より詳細には、撮像装置１Ａでは、顔検出にも用いられる撮影画像が副撮像素子７によって取得される際に、スーパーインポーズ表示素子６６による重畳表示（ここでは、投光表示）がオフされる。例えば、図１０に示されるように、副撮像素子７によって順次に取得される撮影画像ＧＰのうち、数フレームおき（所定間隔おき）に取得される撮影画像が顔検出にも用いられる場合は、顔検出に用いられる撮影画像（顔検出用画像）ＧＰＫ（図１０中、斜線ハッチングで表される画像）が取得される際に、投光ＬＥＤ６６Ｄの非発光処理が施される。すなわち、数フレームおきにスーパーインポーズ表示素子６６による重畳表示が禁止される。
【０１０２】
このように、撮像装置１Ａでは、顔検出の際にスーパーインポーズ表示素子６６による重畳表示が制限される（投光ＬＥＤ６６Ｄが非発光とされる）ので、被写体像への付加情報の重畳表示を避けることが可能になる。これによれば、副撮像素子７によって取得される顔検出用画像が、重畳表示によって変化することを防ぐことができるので、顔検出精度の低下を防止して顔検出の性能を保証することが可能になる。
【０１０３】
＜動作＞
次に、撮像装置１Ａの撮影モードにおける動作について説明する。図１１は、撮像装置１Ａの全体動作を示すフローチャートである。
【０１０４】
図１１に示されるように、ステップＳＰ１１では、レリーズボタン１１の押し込み状態に基づいてＡＦ開始判定が行われる。具体的には、レリーズボタン１１の半押し状態（Ｓ１状態）が検出されると、ステップＳＰ１２へと移行し、レリーズボタン１１の半押し状態（Ｓ１状態）が検出されない場合は、半押し状態が検出されるまで、待ち状態となる。
【０１０５】
ステップＳＰ１２では、ＡＦ制御動作に用いられるＡＦエリアが決定される。ＡＦエリアの決定は、方向選択キー８４等のボタン操作によりユーザによって行われてもよく、或いは、顔検出情報に基づいて行われてもよい。
【０１０６】
顔検出情報に基づいてＡＦエリアが決定される場合は、例えば、顔検出動作によって検出された顔領域がＡＦエリアに存在するときに、当該顔領域を有するＡＦエリアが、ＡＦ制御動作に用いられるＡＦエリアとして決定される。
【０１０７】
ステップＳＰ１３では、決定されたＡＦエリアから得られる焦点情報に基づいて位相差ＡＦによる焦点調節が実行される。
【０１０８】
ステップＳＰ１４では、表示素子制御部１２４において顔検出動作が実行中であるか否かが判断される。具体的には、副撮像素子７によって顔検出用画像を取得するための露光が行われていない場合は、顔検出動作は実行されていないものと判断され、ステップＳＰ１５に移行する。
【０１０９】
そして、ステップＳＰ１５では、表示素子制御部１２４からの制御信号に応じて、スーパーインポーズ表示素子６６による合焦位置の表示（「合焦位置表示」とも称する）がオン（継続）される。すなわち、焦点調節の際の焦点情報を得たＡＦエリアに対応する線画が投光表示によって強調される。
【０１１０】
一方、顔検出用画像を取得するための露光が行われている場合は、顔検出動作が実行中であるとして、ステップＳＰ１６に移行する。
【０１１１】
ステップＳＰ１６では、スーパーインポーズ表示素子６６による合焦位置表示がオフされる。
【０１１２】
次のステップＳＰ１７では、レリーズボタン１１の押し込み状態に基づいて撮影開始判定が行われる。具体的には、レリーズボタン１１の全押し状態（Ｓ２状態）が検出されなければステップＳＰ１８に移行する。
【０１１３】
ステップＳＰ１８では、レリーズボタン１１の半押し状態が継続されているか否かが判定され、半押し状態が継続されていればステップＳＰ１４へ移行し、全押し状態が検出されるまでステップＳＰ１４からステップＳＰ１７までの処理が繰り返し実行される。一方、半押し状態が解除されていればステップＳＰ１１へ移行する。
【０１１４】
また、ステップＳＰ１７において、レリーズボタン１１の全押し状態（Ｓ２状態）が検出されると、ステップＳＰ１９に移行する。
【０１１５】
ステップＳＰ１９では、露光動作が実行される。具体的には、全ての被写体像が主撮像素子５に導かれるミラーアップ状態となり、主撮像素子５による露光が開始される。
【０１１６】
ステップＳＰ２０では、主撮像素子５により取得された本撮影画像がメモリカード９０に記録される。
【０１１７】
また、ステップＳＰ２０では、本撮影画像に含まれる被写体の顔に関する顔検出情報が、メタ情報（メタデータ）としてメモリカード９０に記録される。なお、メタ情報としては、例えば、本撮影画像に関連づけて記録されるＥｘｉｆ情報がある。
【０１１８】
以上のように、撮像装置１Ａでは、顔検出の際にスーパーインポーズ表示素子６６による重畳表示が禁止されるので、顔検出用画像として取得される被写体像の変化を防ぐことができ、ひいては顔検出精度の低下を防止して顔検出の性能を保証することが可能になる。
【０１１９】
＜２．第２実施形態＞
次に、本発明の第２実施形態について説明する。
【０１２０】
第１実施形態に係る撮像装置１Ａでは、副撮像素子７において顔検出用画像取得の露光が行われる際の、スーパーインポーズ表示素子６６による重畳表示が禁止されていたが、第２実施形態に係る撮像装置１Ｂでは、顔検出機能がオン（有効化）されている間は、スーパーインポーズ表示素子６６による重畳表示が禁止される。図１２は、副撮像素子７によって取得される撮影画像を時系列で示す図である。図１３は、撮像装置１Ｂの全体動作を示すフローチャートである。
【０１２１】
なお、第２実施形態に係る撮像装置１Ｂは、スーパーインポーズ表示素子６６による重畳表示を禁止するタイミングが異なる点以外は、第１実施形態に係る撮像装置１Ａとほぼ同様の構成および機能（図１〜図５参照）を有しており、共通する部分については同じ符号を付して説明を省略する。
【０１２２】
上述のように、撮像装置１Ｂでは、顔検出機能がオンされると、スーパーインポーズ表示素子６６による重畳表示が禁止される。具体的には、ユーザのメニュー操作によって顔検出機能が有効化されると、表示素子制御部１２４から投光ＬＥＤ６６Ｄの発光を禁止する旨の制御信号が出力される。
【０１２３】
これにより、ＥＶＦモードで顔検出機能が有効化されている間は、投光ＬＥＤ６６Ｄが非発光とされる。換言すれば、顔検出機能が有効化された場合は、ＥＶＦモードで副撮像素子７によって撮影画像が取得されている間（図１２中の両矢印で示す期間）は、投光ＬＥＤ６６Ｄは消灯される。
【０１２４】
図１３に示されるように、撮像装置１Ｂの撮影モードにおける動作は、撮像装置１Ａの動作（図１１参照）とほぼ同様であるが、合焦位置表示のオン／オフを判定する工程（ステップＳＰ２４）が異なる。
【０１２５】
具体的には、撮像装置１Ｂでは、ステップＳＰ１３において位相差ＡＦによる焦点調節が実行された後、ステップＳＰ２４において顔検出機能が有効であるか否かが判断される。
【０１２６】
顔検出機能が有効でなかった（無効だった）場合は、ステップＳＰ１５に移行し、スーパーインポーズ表示素子６６による合焦位置表示がオンされる。
【０１２７】
一方、顔検出機能が有効であった場合は、ステップＳＰ１６に移行し、スーパーインポーズ表示素子６６による合焦位置表示がオフされる。
【０１２８】
以上のように、第２実施形態に係る撮像装置１Ｂでは、顔検出機能の有効化指示に応じてスーパーインポーズ表示素子６６による重畳表示が制限され、顔検出用画像を取得する際の被写体像への付加情報の重畳表示を避けることが可能になる。これによれば、顔検出用画像として取得される被写体像の変化を防ぐことが可能になるので、顔検出精度の低下を防止して顔検出の性能を保証することができる。
【０１２９】
＜３．第３実施形態＞
次に、本発明の第３実施形態について説明する。
【０１３０】
第３実施形態に係る撮像装置１Ｃでは、ＥＶＦモードで顔検出機能が有効化されている間は、スーパーインポーズ表示素子６６による重畳表示が禁止されるとともに、表示制御部１２５によって付加情報がライブビュー画像に合成して表示される。図１４は、ＥＶＦモードにおいてモニタ１２に表示される線画Ｇｖを示す図である。図１５は、撮像装置１Ｃの全体動作を示すフローチャートである。
【０１３１】
なお、第３実施形態に係る撮像装置１Ｃは、付加情報がライブビュー画像に合成表示される点以外は、第２実施形態に係る撮像装置１Ｂとほぼ同様の構成および機能（図１〜図５参照）を有しており、共通する部分については同じ符号を付して説明を省略する。
【０１３２】
上述のように、撮像装置１Ｃでは、ＥＶＦモードで顔検出機能が有効化された場合は、表示素子制御部１２４によって投光ＬＥＤ６６Ｄが非発光にされ、スーパーインポーズ表示素子６６による付加情報の重畳表示が禁止される。
【０１３３】
そして、スーパーインポーズ表示素子６６を用いた表示の代わりに、表示制御部１２５によって付加情報がライブビュー画像に合成して表示される。
【０１３４】
例えば、図９のＯＶＦ表示と同様に、ＡＦ制御動作に用いられたＡＦエリアに対応する線画Ｇｖ１を、付加情報として強調表示したい場合は、ライブビュー画像に含まれる線画Ｇｖ１を囲む強調枠ＷＫが、モニタ１２に合成表示される（図１４参照）。
【０１３５】
図１５に示されるように、撮像装置１Ｃの撮影モードにおける動作は、撮像装置１Ｂにおける動作（図１３参照）とほぼ同様であるが、ライブビュー画像への合成表示工程（ステップＳＰ２５）が新たに加わっている。
【０１３６】
具体的には、撮像装置１Ｃでは、ステップＳＰ２４において顔検出機能が有効であるか否かが判断され、顔検出機能が有効であった場合は、ステップＳＰ１６に移行し、スーパーインポーズ表示素子６６による合焦位置表示がオフされる。
【０１３７】
そして、次のステップＳＰ２５において、表示制御部１２５によって、付加情報（ここでは、合焦位置情報）としての強調表示（「付加表示」とも称する）が、ライブビュー画像に合成して表示される。
【０１３８】
以上のように、撮像装置１Ｃでは、スーパーインポーズ表示素子６６が非発光とされる場合においても、表示制御部１２５によって画面上の表示（ＯＳＤ：On Screen Display）が制御され、付加情報がモニタ１２に表示される。これによれば、撮像装置１Ｃでは、顔検出の際にスーパーインポーズ表示素子６６による重畳表示が禁止されるので、顔検出用画像として取得される被写体像の変化を防ぐことが可能になるとともに、ユーザに付加情報を提供することが可能になる。
【０１３９】
なお、ライブビュー画像に合成される付加表示は、上記強調枠ＷＫに限定されず、アイコン等を付加表示として用いてもよい。
【０１４０】
＜４．変形例＞
以上、この発明の実施の形態について説明したが、この発明は、上記に説明した内容に限定されるものではない。
【０１４１】
例えば、上記各実施形態では、位相差ＡＦによる焦点調節が終了した後に、焦点調節に用いられたＡＦエリアの強調表示を行っていたが、これに限定されない。
【０１４２】
具体的には、焦点調節に用いられるＡＦエリアが決定した段階で、焦点調節に用いられるＡＦエリアの強調表示を開始してもよい。これによれば、ユーザは、焦点調節実行中も現在設定されているＡＦエリアを確認することが可能になる。
【０１４３】
また、上記各実施形態では、メニュー操作によって顔検出機能が無効化（オフ）されると、顔検出動作が実行されないとしていたが、これに限定されない。図１６は、変形例に係る撮像装置１Ｄの全体動作を示すフローチャートである。
【０１４４】
具体的には、ユーザによって顔検出機能が無効化された場合でも、本撮影画像とともに記憶するメタ情報を取得するために、顔検出動作が実行されてもよい。
【０１４５】
この場合、上記第２および第３実施形態において顔検出機能が無効であった場合に実行されていた合焦位置表示は、顔検出動作の実行に応じてオフされる。
【０１４６】
より詳細には、上記第２実施形態の当該変形例に係る撮像装置１Ｄの動作は、図１６のようになり、ステップＳＰ２４で顔検出機能が無効と判断された場合、ステップＳＰ１５で合焦位置表示を行う前に、ステップＳＰ２６に移行する。
【０１４７】
ステップＳＰ２６では、顔検出動作が実行中であるか否かが判断され、顔検出動作が実行中であった場合は、ステップＳＰ１６に移行されて合焦位置表示がオフされ、顔検出動作が実行されていない場合は、ステップＳＰ１５に移行されて合焦位置表示がオンされる。
【０１４８】
このように、撮像装置１Ｄでは、顔検出機能が無効でスーパーインポーズ表示素子６６による重畳表示が可能とされている場合でも、顔検出用画像に関する露光動作が行われているときは、スーパーインポーズ表示素子６６による合焦位置表示がオフされる（ステップＳＰ１６）。
【０１４９】
また、上記各実施形態では、顔検出の際にスーパーインポーズ表示素子６６による重畳表示を禁止して、顔検出用画像として取得される被写体像の変化を防いでいたが、これに限定されない。図１７は、変形例に係る撮像装置１Ｅの縦断面図である。
【０１５０】
具体的には、顔検出用画像として取得される被写体像に影響を与える機能が備わっていた場合は、当該機能を顔検出の際にオフすることで、顔検出の際に被写体像へ与える影響を回避することができる。
【０１５１】
例えば、図１７に示されるように、焦点板６４の上面に液晶型の表示素子（液晶表示素子）６０を有し、ＡＦエリア等を示す線画Ｇｖを当該液晶表示素子６０によって、被写体像に重畳させる機能を備える撮像装置１Ｅでは、顔検出の際に線画Ｇｖの表示機能をオフして被写体像に与える影響を回避してもよい。
【０１５２】
すなわち、顔検出の際にスーパーインポーズ表示素子６６を非発光とする処理は、顔検出の際に被写体像に影響を与える機能をオフする処理（当該変形例では、液晶表示素子６０の表示機能をオフする処理）とも拡張して表現することができる。
【０１５３】
また、上記各実施形態では、ＥＶＦモードにおいて光路変更ミラー６５ｅの姿勢を変更して、被写体像を副撮像素子７へと導いていたが、これに限定されない。図１８は、変形例に係る撮像装置１Ｆの縦断面図である。
【０１５４】
具体的には、図１８に示されるように、ペンタミラー６５と接眼レンズ６７との間の光路ＰＡ上に反射ミラーＭＲを設けて、ＥＶＦモード中は当該反射ミラーＭＲで被写体光を上方に反射して、被写体像を副撮像素子７に導く構成としてもよい。
【０１５５】
また、上記第１実施形態では、顔検出動作の際にスーパーインポーズ表示素子６６による重畳表示が制限される一態様として、スーパーインポーズ表示素子６６による重畳表示が禁止される場合について例示したが、これに限定されない。
【０１５６】
具体的には、顔検出動作に影響を及ぼさない程度にスーパーインポーズ表示素子６６の出力を制限して、スーパーインポーズ表示素子６６による重畳表示を許可してもよい。
【０１５７】
また、上記各実施形態では、顔検出動作は、副撮像素子７によって順次に取得される撮影画像のうち、数フレームおきの顔検出用画像を用いて実行される場合について例示したが、これに限定されない。
【０１５８】
具体的には、副撮像素子７によって順次に取得される撮影画像全てを用いて顔検出動作を実行してもよい。すなわち、副撮像素子７によって撮影画像が順次に取得される度に、顔検出動作が実行される態様としてもよい。
【図面の簡単な説明】
【０１５９】
【図１】本発明の第１実施形態に係る撮像装置の外観構成を示す図である。
【図２】本発明の第１実施形態に係る撮像装置の外観構成を示す図である。
【図３】第１実施形態に係る撮像装置の縦断面図である。
【図４】第１実施形態に係る撮像装置の縦断面図である。
【図５】第１実施形態に係る撮像装置の機能構成を示すブロック図である。
【図６】第１実施形態に係る撮像装置の縦断面図である。
【図７】ファインダ窓に映り込む線画を示す図である。
【図８】ＡＦエリアを表す線画を示す図である。
【図９】スーパーインポーズ表示素子によって強調された線画を示す図である。
【図１０】副撮像素子によって順次に取得される撮影画像を時系列で示す図である。
【図１１】第１実施形態に係る撮像装置の全体動作を示すフローチャートである。
【図１２】副撮像素子によって取得される撮影画像を時系列で示す図である。
【図１３】第２実施形態に係る撮像装置の全体動作を示すフローチャートである。
【図１４】ＥＶＦモードにおいてモニタに表示される線画を示す図である。
【図１５】第３実施形態に係る撮像装置の全体動作を示すフローチャートである。
【図１６】変形例に係る撮像装置の全体動作を示すフローチャートである。
【図１７】変形例に係る撮像装置の縦断面図である。
【図１８】変形例に係る撮像装置の縦断面図である。
【符号の説明】
【０１６０】
１Ａ，１Ｂ，１Ｃ，１Ｄ，１Ｅ，１Ｆ  撮像装置
５  主撮像素子
７  副撮像素子
１０  ファインダ窓
１２  モニタ
１００  全体制御部
１０２  ファインダ部
１２２  被写体検出部
１２４  表示素子制御部
１２５  表示制御部
６６  スーパーインポーズ表示素子
６６Ｄ  投光ＬＥＤ
ＧＰ  撮影画像
ＧＰＫ  顔検出用画像
Ｇｖ  線画
【図１】
0005167919.tif 000002
【図２】
0005167919.tif 000003
【図３】
0005167919.tif 000004
【図４】
0005167919.tif 000005
【図５】
0005167919.tif 000006
【図６】
0005167919.tif 000007
【図７】
0005167919.tif 000008
【図８】
0005167919.tif 000009
【図９】
0005167919.tif 000010
【図１０】
0005167919.tif 000011
【図１１】
0005167919.tif 000012
【図１２】
0005167919.tif 000013
【図１３】
0005167919.tif 000014
【図１４】
0005167919.tif 000015
【図１５】
0005167919.tif 000016
【図１６】
0005167919.tif 000017
【図１７】
0005167919.tif 000018
【図１８】
0005167919.tif 000019